(57)【要約】【課題】フォーカス引込範囲の検出を含めて、フォーカスサーボをオンするまでに要する時間が短縮できる光ディスク装置を提供する。【解決手段】ピックアップヘッド３のレンズ１３を予め定めたＡ点からＢ点に移動してフォーカス引込範囲の基点を検出すると、検出したフォーカス引込範囲の基点に基づいてレンズの初期位置であるＤ点を設定する。この初期位置は、Ａ点とＢ点との間に設定される。そして、レンズをＢ点から初期位置であるＤ点に移動し、その後フォーカス引込範囲に向けてレンズを移動し、フォーカスエラー信号が得られると、フォーカスサーボをオンする。【選択図】図１
2005025813.tif 000002
【特許請求の範囲】
【請求項１】
本体にセットされた光ディスクのデータの記録面にレンズを通してレーザ光を照射し、その反射光を検出するピックアップヘッドと、
上記ピックアップヘッドで検出されている反射光から上記光ディスクのデータの記録面に対するレーザ光の焦点位置のずれを示すフォーカスエラー信号を取得し、このフォーカスエラー信号に基づいて上記ピックアップヘッドのレンズを移動してレーザ光の焦点位置を上記光ディスクのデータの記録面に一致させるフォーカスサーボをオン／オフするフォーカス制御手段と、を備え、
上記ピックアップで検出されている反射光から上記光ディスクに記録されているデータを再生する光ディスク装置において、
上記ピックアップヘッドのレンズを、予め定めた第１の位置から第２の位置まで移動し、上記フォーカスエラー信号が得られるレンズの移動範囲をフォーカス引込範囲として検出するフォーカス引込範囲検出手段と、
上記フォーカス引込範囲検出手段が検出したフォーカス引込範囲に基づいて、上記第１の位置と第２の位置との間に、上記レンズの初期位置を設定する初期位置設定手段と、を備え、
上記第１の位置から上記第２の位置への方向は、レンズが光ディスクに近づく方向であり、
上記フォーカス制御手段は、上記フォーカス引込範囲検出手段による上記第１の位置から第２の位置への上記レンズの移動速度よりも高速に、上記初期位置設定手段が設定した初期位置に上記レンズを移動し、その後上記フォーカス引込範囲へ向けてレンズを移動し、上記フォーカスエラー信号が得られるとフォーカスサーボをオンする光ディスク装置。
【請求項２】
本体にセットされた光ディスクのデータの記録面にレンズを通してレーザ光を照射し、その反射光を検出するピックアップヘッドと、
上記ピックアップヘッドで検出されている反射光から上記光ディスクのデータの記録面に対するレーザ光の焦点位置のずれを示すフォーカスエラー信号を取得し、このフォーカスエラー信号に基づいて上記ピックアップヘッドのレンズを移動してレーザ光の焦点位置を上記光ディスクのデータの記録面に一致させるフォーカスサーボをオン／オフするフォーカス制御手段と、を備え、
上記ピックアップで検出されている反射光から上記光ディスクに記録されているデータを再生する光ディスク装置において、
上記ピックアップヘッドのレンズを、予め定めた第１の位置から第２の位置まで移動し、上記フォーカスエラー信号が得られるレンズの移動範囲をフォーカス引込範囲として検出するフォーカス引込範囲検出手段と、
上記フォーカス引込範囲検出手段が検出したフォーカス引込範囲に基づいて、上記第１の位置と第２の位置との間に、上記レンズの初期位置を設定する初期位置設定手段と、を備え、
上記フォーカス制御手段は、上記初期位置設定手段が設定した初期位置に上記レンズを移動し、その後上記フォーカス引込範囲へ向けてレンズを移動し、上記フォーカスエラー信号が得られるとフォーカスサーボをオンする光ディスク装置。
【請求項３】
上記第１の位置から上記第２の位置への方向は、レンズが光ディスクに近づく方向である請求項２に記載の光ディスク装置。
【請求項４】
上記フォーカス制御手段は、上記初期位置設定手段が設定した初期位置に上記レンズを移動するときの移動速度を、上記フォーカス引込範囲検出手段による上記第１の位置から第２の位置への上記レンズの移動速度よりも高速にする請求項２または３に記載の光ディスク装置。
【請求項５】
本体にセットされた光ディスクのデータの記録面にレンズを通してレーザ光を照射し、その反射光を検出するピックアップヘッドと、
上記ピックアップヘッドで検出されている反射光から上記光ディスクのデータの記録面に対するレーザ光の焦点位置のずれを示すフォーカスエラー信号を取得し、このフォーカスエラー信号に基づいて上記ピックアップヘッドのレンズを移動してレーザ光の焦点位置を上記光ディスクのデータの記録面に一致させるフォーカスサーボをオン／オフするフォーカス制御手段と、を備え、
上記ピックアップで検出されている反射光から上記光ディスクに記録されているデータを再生する光ディスク装置において、
上記ピックアップヘッドのレンズを、予め定めた第１の位置から第２の位置まで移動し、上記フォーカスエラー信号が得られるレンズの移動範囲をフォーカス引込範囲として検出するフォーカス引込範囲検出手段を備え、
上記フォーカス制御手段は、上記フォーカス引込範囲検出手段による上記第１の位置から第２の位置への上記レンズの移動速度よりも高速に、上記レンズを上記第１の位置に移動し、その後上記フォーカス引込範囲へ向けてレンズを移動し、上記フォーカスエラー信号が得られるとフォーカスサーボをオンする光ディスク装置。
【発明の詳細な説明】
【０００１】
【発明の属する技術分野】
この発明は、ＣＤやＤＶＤ等の光ディスクに記録されているデータを読み取り、再生する光ディスク装置に関する。
【０００２】
【従来の技術】
従来、ＣＤ、ＤＶＤ等の光ディスクに記録されているデータを読み取る光ディスク装置は、周知のように本体にセットされた光ディスクのデータの記録面にレンズを通してレーザ光を照射し、その反射光を受光素子（ＰＤ）で検出することにより、この光ディスクに記録されているデータを読み取る。光ディスク装置は、受光領域を縦、および横に分割した４分割の受光素子を使用し、光ディスクに照射しているレーザ光の焦点位置と光ディスクのデータの記録面とのずれを示すフォーカスエラー信号（以下、ＦＥ信号と言う。）、レーザ光の照射位置と光ディスクのトラックとのずれを示すトラッキングエラー信号（以下、ＴＥ信号と言う。）、および光ディスクに記録されているデータの読取信号（以下、ＲＦ信号と言う。）を取得する。光ディスク装置は、ＦＥ信号に基づいてレンズを光ディスクに接離する方向に移動してレーザ光の焦点位置を光ディスクのデータの記録面に一致させるフォーカスサーボ、およびＴＥ信号に基づいてレンズを光ディスクの半径方向に移動してレーザ光の照射位置を光ディスクのトラックの中心に一致させるトラッキングサーボを、オンして光ディスクに記録されているデータを読み取る。
【０００３】
周知のように、発光素子（ＬＤ）、レンズ、受光素子（ＰＤ）は、ピックアップヘッドに設けられている。
【０００４】
光ディスク装置は、本体にセットされている光ディスクに記録されているデータの読み取りを開始するとき、レンズを予め定められている第１の位置から、第２の位置まで移動し、ＦＥ信号が得られるレンズの位置（範囲）を、フォーカス引込範囲として検出する。フォーカス引込範囲は数μｍ（約６μｍ）であり、第１の位置から第２の位置までのレンズの移動範囲は約１．５ｍｍである。一般的な光ディスク装置では、上記フォーカス引込範囲の検出において、レンズを光ディスクに近づける方向に移動する。言い換えれば、上記第１の位置が上記第２の位置よりも光ディスクから離れた位置である。
【０００５】
光ディスク装置は、上記の処理でフォーカス引込範囲を検出すると、レンズを第２の位置から第１の位置へ移動する（レンズの位置を第１の位置に戻す。）。そして、再度レンズを第２の位置方向（検出したフォーカス引込範囲）に移動し、レンズの位置が先に検出したフォーカス引込範囲で、且つＦＥ信号が得られるとフォーカスサーボをオンする。その後、トラッキングサーボをオンし、光ディスクに記録されているデータの読み取りを開始する。
【０００６】
ところで、特許文献１、２にも示されているように、フォーカスサーボをオンするまでに要する時間の短縮が要望されている。この要望に対して、単にフォーカス引込範囲の検出時や、フォーカスサーボをオンする時点におけるレンズの移動速度が高速であると、フォーカス引込範囲が検出できなかったり、フォーカスサーボをオンしたときにフォーカスの引込に失敗する可能性が高くなり、装置本体の信頼性を低下させる。言い換えれば、フォーカス引込範囲の検出時や、フォーカスサーボをオンする時点におけるレンズの移動速度については、あまり高速にできない。
【０００７】
そこで、特許文献１ではアクセス後にフォーカスが外れた場合だけ、レンズの移動を高速にして上記フォーカスサーボをオンするまでの処理を行うことが提案されている。また、特許文献２ではフォーカス引込範囲を検出するときのレンズの移動速度を高速にし、フォーカスサーボをオンするときのレンズの移動速度を低速にすることが提案されている。
【０００８】
【特許文献１】
特開平１１−１２０５７０号公報
【特許文献２】
特開平６−２９０４６６号公報
【０００９】
【発明が解決しようとする課題】
しかしながら、特許文献１は、アクセス後にフォーカスが外れた場合において、再度フォーカスサーボをオンするまでの時間が短縮できるが、光ディスクが本体にセットされた時等、アクセス前におけるフォーカスサーボをオンするまでの時間については短縮できない。
【００１０】
また、特許文献２は、フォーカス引込範囲を検出するときのレンズの移動速度を高速にしているので、フォーカス引込範囲の検出に失敗する可能性が高く、何度も連続してフォーカス引込範囲の検出に失敗し、結果的にフォーカスサーボをオンするまでに要する時間が長くなることがある。
【００１１】
この発明の目的は、フォーカス引込範囲の検出を含めて、フォーカスサーボをオンするまでに要する時間が短縮できる光ディスク装置を提供することにある。。
【００１２】
【課題を解決するための手段】
この発明の光ディスク装置は、上記目的を達成するために以下の構成を備えている。
【００１３】
（１）本体にセットされた光ディスクのデータの記録面にレンズを通してレーザ光を照射し、その反射光を検出するピックアップヘッドと、
上記ピックアップヘッドで検出されている反射光から上記光ディスクのデータの記録面に対するレーザ光の焦点位置のずれを示すフォーカスエラー信号を取得し、このフォーカスエラー信号に基づいて上記ピックアップヘッドのレンズを移動してレーザ光の焦点位置を上記光ディスクのデータの記録面に一致させるフォーカスサーボをオン／オフするフォーカス制御手段と、を備え、
上記ピックアップで検出されている反射光から上記光ディスクに記録されているデータを再生する光ディスク装置において、
上記ピックアップヘッドのレンズを、予め定めた第１の位置から第２の位置まで移動し、上記フォーカスエラー信号が得られるレンズの移動範囲をフォーカス引込範囲として検出するフォーカス引込範囲検出手段と、
上記フォーカス引込範囲検出手段が検出したフォーカス引込範囲に基づいて、上記第１の位置と第２の位置との間に、上記レンズの初期位置を設定する初期位置設定手段と、を備え、
上記フォーカス制御手段は、上記初期位置設定手段が設定した初期位置に上記レンズを移動し、その後上記フォーカス引込範囲へ向けてレンズを移動し、上記フォーカスエラー信号が得られるとフォーカスサーボをオンする。
【００１４】
この構成では、ピックアップヘッドのレンズを予め定めた第１の位置から第２の位置に移動してフォーカス引込範囲を検出すると、検出したフォーカス引込範囲に基づいてレンズの初期位置を設定する。この初期位置は、第１の位置と第２の位置との間に設定される。そして、レンズを第２の位置から初期位置に移動し、その後フォーカス引込範囲に向けてレンズを移動し、フォーカスエラー信号が得られると、フォーカスサーボをオンする。
【００１５】
このように、フォーカス引込範囲を検出した後、レンズを第２の位置から第１の位置に移動するのではなく、検出したフォーカス引込範囲に基づいて設定したレンズの初期位置に移動する構成としたので、フォーカスサーボをオンするまでの間に、レンズが移動する総移動量を短くできる。これにより、レンズの移動にかかる時間の短縮が図れる。したがって、フォーカスサーボをオンするまでに要する時間が短縮できる。
【００１６】
また、上記第１の位置から上記第２の位置への方向は、一般的な光ディスク装置においては、レンズが光ディスクに近づく方向であるが、反対方向であってもよい。
【００１７】
また、上記フォーカス制御手段は、上記初期位置設定手段が設定した初期位置に上記レンズを移動するときの移動速度を、上記フォーカス引込範囲検出手段による上記第１の位置から第２の位置への上記レンズの移動速度よりも高速にすることにより、レンズを初期位置に移動するのに要する時間の短縮が図れるので、フォーカスサーボをオンするまでに要する時間が一層短縮できる。
【００１８】
（２）本体にセットされた光ディスクのデータの記録面にレンズを通してレーザ光を照射し、その反射光を検出するピックアップヘッドと、
上記ピックアップヘッドで検出されている反射光から上記光ディスクのデータの記録面に対するレーザ光の焦点位置のずれを示すフォーカスエラー信号を取得し、このフォーカスエラー信号に基づいて上記ピックアップヘッドのレンズを移動してレーザ光の焦点位置を上記光ディスクのデータの記録面に一致させるフォーカスサーボをオン／オフするフォーカス制御手段と、を備え、
上記ピックアップで検出されている反射光から上記光ディスクに記録されているデータを再生する光ディスク装置において、
上記ピックアップヘッドのレンズを、予め定めた第１の位置から第２の位置まで移動し、上記フォーカスエラー信号が得られるレンズの移動範囲をフォーカス引込範囲として検出するフォーカス引込範囲検出手段を備え、
上記フォーカス制御手段は、上記フォーカス引込範囲検出手段による上記第１の位置から第２の位置への上記レンズの移動速度よりも高速に、上記レンズを上記第１の位置に移動し、その後上記フォーカス引込範囲へ向けてレンズを移動し、上記フォーカスエラー信号が得られるとフォーカスサーボをオンする。
【００１９】
この構成では、ピックアップヘッドのレンズを予め定めた第１の位置から第２の位置に移動してフォーカス引込範囲を検出すると、レンズを第２の位置から第１の位置に高速に移動し、その後フォーカス引込範囲に向けてレンズを移動し、フォーカスエラー信号が得られると、フォーカスサーボをオンする。
【００２０】
したがって、フォーカス引込範囲検出後に、レンズを第１の位置に移動するのに要する時間の短縮が図れるので、フォーカスサーボをオンするまでに要する時間が短縮できる。
【００２１】
【発明の実施の形態】
以下、この発明の実施形態である光ディスク装置について説明する。
【００２２】
図１は、この発明の実施形態である光ディスク装置の主要部の構成、特にデータの読み取りにかかる構成、を示す図である。図において、１は光ディスク装置本体であり、２は本体の動作を制御する制御部である。３は、ピックアップヘッドであり、図２（Ａ）に示すように光ディスク１０にレーザ光を照射するレーザダイオード１１（以下、ＬＤ１１と言う。）、光ディスク１０からの反射光を検出する受光素子１２（以下、ＰＤ１２と言う。）、光ディスク１０のデータの記録面に焦点を合わせるためのレンズ１３、光ディスク１０からの反射光をＰＤ１２へ導くビームスプリッタ１４、を備えている。レンズ１３は、光ディスク１０に接離する方向、および光ディスク１０の半径方向に移動自在に保持されている。ＰＤ１２は、図２（Ｂ）に示すように受光領域を縦、横に分割した、４分割のものである。光ディスク１０に照射されているレーザ光の焦点位置が、光ディスク１０のデータの記録面よりも下であるとき、光ディスク１０のデータの記録面に一致しているとき、光ディスク１０のデータの記録面よりも上であるとき、ＰＤ１２で受光される反射光のスポットの形状が図２（Ｂ）に示すように変化する。
【００２３】
図１に戻って、４は光ディスク１０を回転させるスピンドルモータである。５は、ＰＤ１２の出力を増幅するＲＦアンプであり、フォーカスエラー信号（以下、ＦＥ信号と言う）、トラッキングエラー信号（以下、ＴＥ信号と言う。）、光ディスクに記録されているデータの読取信号（以下、ＲＦ信号と言う。）を出力する。ＦＥ信号は、周知のようにＰＤ１２の受光領域Ａ、Ｄで受光された反射光量と、受光領域Ｂ、Ｃで受光された反射光量との差分信号である（ＦＥ信号＝（Ａ＋Ｄ）−（Ｂ＋Ｃ））。また、ＴＥ信号は、周知のようにＰＤ１２の受光領域Ａ、Ｃで受光された反射光量と、受光領域Ｂ、Ｄで受光された反射光量との差分信号である（ＴＥ信号＝（Ａ＋Ｃ）−（Ｂ＋Ｄ））。ＲＦ信号は受光領域Ａ、Ｂ、Ｃ、Ｄで受光された反射光量の和信号である（ＲＦ信号＝Ａ＋Ｂ＋Ｃ＋Ｄ）。
【００２４】
なお、ＲＦアンプ５から出力されるＦＥ信号、ＴＥ信号、およびＲＦ信号は、ＰＤ１２の出力を増幅した信号である。
【００２５】
６は、ＲＦアンプ５からＲＦ信号が入力されるデコーダである。デコーダ６は入力されたＲＦ信号を２値化し、これを復調して図示していない再生部に入力する。７はＲＦアンプ５から入力される、ＦＥ信号に基づいてフォーカスサーボを実行し、ＴＥ信号に基づいてトラッキングサーボを実行するサーボ回路である。フォーカスサーボとは、周知のように光ディスク１０に照射しているレーザ光の焦点位置が光ディスク１０のデータの記録面に一致するようにレンズ１３を光ディスク１０に接離する方向に移動する制御である。また、トラッキングサーボとは、周知のように光ディスク１０に照射しているレーザ光の照射位置が光ディスク１０のトラックの中心になるようにレンズ１３を光ディスク１０の半径方向に移動する制御である。また、サーボ回路７は、スピンドルモータ４の回転制御、言い換えれば光ディスク１０の回転制御、および図示していないスレッド機構によりピックアップヘッド３を光ディスク１０の半径方向に移動する制御も行う。
【００２６】
以下、この発明の実施形態である光ディスク装置の動作について説明する。
【００２７】
図３は、この発明の実施形態である光ディスク装置のフォーカスオンにかかる動作を示すフローチャートである。また、図４（Ａ）は、この動作におけるレンズの位置の変化を示す図であり、図４（Ｂ）は比較のために従来の光ディスク装置の場合を示している。図４では、縦軸がレンズ１３の位置であり、横軸が時間である。このフォーカスオンにかかる動作は、光ディスク１０が本体にセットされたとき、再生中にフォーカスが外れたとき等に実行される。
【００２８】
レンズ１３の移動範囲は、図３に示すＡ点〜Ｂ点である。ここでは、Ａ点がＢ点よりも光ディスク１０から離れた位置である。Ａ点がこの発明で言う第１の位置に相当し、Ｂ点がこの発明で言う第２の位置に相当する。光ディスク装置１は、レンズ１３をＡ点に移動する。光ディスク装置１は、フォーカス引込範囲を検出するために、Ａ点からＢ点へのレンズ１３の移動を開始する（ｓ１）（図４に示すｔ１）。このとき、レンズ１３の移動速度は、フォーカス引込範囲を略確実に検出することができる速度Ｖ１である。
【００２９】
光ディスク装置１は、ｓ１でレンズ１３の移動を開始した後、レンズ１３がＢ点に達するまで（図４に示すｔ３）、ＲＦ信号が予め定められている閾値レベルよりも大きく、且つフォーカスエラー信号が得られるレンズの位置（範囲）をフォーカス引込範囲として検出する（ｓ２、ｓ３）。光ディスク装置１は、このフォーカス引込範囲を検出することができなかったとき（ｓ４）、フォーカス引込範囲の検出に失敗したと判断し、ｓ５でエラー処理を行う。このエラー処理は、例えばレンズ１３をＡ点に移動し、再度フォーカス引込範囲の検出を行わせる処理であってもよい。
【００３０】
Ａ点からＢ点までの距離、すなわちレンズ１３の移動範囲は約１．５ｍｍである。また、周知のように光ディスク１０に照射しているレーザ光の焦点位置と、光ディスク１０のデータの記録面と、のずれが数μｍ（約６μｍ）であるときに図５（Ａ）に示すＦＥ信号が得られる。また、このＦＥ信号が得られているときに、ＲＦ信号が閾値レベルよりも大きくなる（図５（Ｂ）参照）。
【００３１】
光ディスク装置１は、フォーカス引込範囲が検出できた場合、以下に示すｓ６以降の処理を実行する。また、光ディスク装置１は、フォーカス引込範囲が検出できたとき、フォーカスエラー信号のゼロクロスを検出したときのレンズ１３の位置をフォーカス引込範囲の基点とする。
【００３２】
なお、ここで言うフォーカス引込範囲の基点とは、実際に検出されたフォーカス引込範囲の中心等を意味しているのではない。
【００３３】
図４に示すように、ここまでの処理は、従来の光ディスク装置と同じ処理を行っているので、同じ時間を要している。ここでは、フォーカス引込範囲の基点として検出されたレンズ１３の位置を図４に示すＣ点として説明する。
【００３４】
光ディスク装置１は、先に検出したフォーカス引込範囲の基点に基づいて、レンズ１３の初期位置を設定する（ｓ６）。レンズ１３の初期位置は、Ａ点とＢ点との間に設定される。例えば、フォーカス引込範囲の基点から所定量、例えば０．２〜０．３ｍｍ、離れた位置を初期位置に設定する。光ディスク装置１は、レンズ１３をＢ点からｓ６で設定した初期位置であるＤ点に移動する（ｓ７）。この時のレンズ１３の移動速度もＶ１である。
【００３５】
光ディスク装置１は、レンズ１３を初期位置であるＤ点に移動すると（図４に示すｔ４）、先に検出したフォーカス引込範囲に向けてレンズ１３の移動を開始し（ｓ８）、先に検出したフォーカス引込範囲付近において、ＦＥ信号が得られるとフォーカスサーボをオンする（ｓ９）（図４に示すｔ５）。
【００３６】
この後、トラッキングサーボをオンし、光ディスク１０に記録されているＴＯＣ等のデータの読み取りを開始する。トラッキングサーボをオンする処理や、光ディスク１０に記録されているＴＯＣ等のデータを読み取る処理については、周知であるので、ここでは説明を省略する。
【００３７】
このように、この実施形態の光ディスク装置１は、検出したフォーカス引込範囲に基づいてレンズ１３の初期位置（ここでは、Ｄ点）を設定し、フォーカス引込範囲の検出後にレンズ１３をＢ点からＡ点に移動するのではなく、設定した初期位置であるＤ点に移動し、このＤ点からフォーカス引込範囲に向けてレンズ１３を移動してフォーカスサーボをオンする構成としたので、この一連の処理におけるレンズ１３の総移動量を抑えることができる。したがって、図４に示すように、フォーカスサーボをオンするまでに要する時間を、従来の光ディスク装置に比べて時間Ｔだけ短縮できる。
【００３８】
なお、従来の光ディスク装置は、図４（Ｂ）に示すように、レンズ１３をＢ点からＡ点に移動した後、Ａ点からフォーカス引込範囲に向けてレンズ１３を移動してフォーカスサーボをオンする構成であった。
【００３９】
また、上記実施形態では、フォーカス引込範囲を検出するときにおけるＡ点からＢ点へのレンズ１３の移動速度、フォーカス引込範囲の検出完了後にＢ点から初期位置であるＤ点へのレンズ１３の移動速度、およびＤ点からフォーカス引込範囲へのレンズ１３の移動速度、を全て同じ速度であるとしたが、図６に示すようにフォーカス引込範囲の検出完了後にＢ点から初期位置であるＤ点へのレンズ１３の移動速度をより高速にしてもよい。このようにすれば、フォーカスサーボをオンするまでに要する時間が一層短縮できる。
【００４０】
なお、この間においては、単にレンズ１３をＢ点からＤ点に移動しているだけであるので、レンズ１３の移動速度を高速にしても何ら問題は生じない。
【００４１】
さらに、上記実施形態では検出したフォーカス引込範囲に基づいて、レンズ１３の初期位置を設定するとしたが、この初期位置の設定をしない変わりに、フォーカス引込範囲の検出完了後にＢ点からＡ点へのレンズ１３の移動速度を高速にしてもよい（図７参照）。このようにしても、フォーカスサーボをオンするまでに要する時間の短縮が図れる。
【００４２】
なお、上記実施形態では、Ａ点がＢ点よりも光ディスク１０から離れた位置であるとしたが、Ｂ点がＡ点よりも光ディスク１０から離れた位置であってもよい。言い換えれば、上記説明におけるレンズ１３の移動方向が逆であってもよい。
【００４３】
また、光ディスク１０に対するデータの書き込み時においても、上記手法でフォーカスサーボをオンすることにより、フォーカスサーボをオンするまでに要する時間が短縮できる。
【００４４】
【発明の効果】
以上のように、この発明によれば、フォーカスサーボをオンするまでにおけるレンズの総移動量を抑えることができるので、フォーカスサーボをオンするまでに要する時間の短縮が図れる。
【００４５】
また、フォーカス引込範囲検出後に、レンズを高速で第１の位置に移動するので、フォーカスサーボをオンするまでに要する時間が短縮できる。
【図面の簡単な説明】
【図１】この発明の実施形態である光ディスク装置の主要部の構成を示す図である。
【図２】ピックアップヘッドの構成を示す図である。
【図３】この発明の実施形態である光ディスク装置のフォーカスオンにかかる動作を示すフローチャートである。
【図４】この実施形態の光ディスク装置のフォーカスオンにかかる動作におけるレンズの位置の変化を示す図である。
【図５】フォーカスエラー信号、およびＲＦ信号を示す図である。
【図６】別の実施形態の光ディスク装置のフォーカスオンにかかる動作におけるレンズの位置の変化を示す図である。
【図７】別の実施形態の光ディスク装置のフォーカスオンにかかる動作におけるレンズの位置の変化を示す図である。
【符号の説明】
１−光ディスク装置
２−制御部
３−ピックアップヘッド
５−ＲＦアンプ
７−サーボ回路
１１−ＬＤ
１２−ＰＤ
１３−レンズ
【図１】
2005025813.tif 000003
【図２】
2005025813.tif 000004
【図３】
2005025813.tif 000005
【図４】
2005025813.tif 000006
【図５】
2005025813.tif 000007
【図６】
2005025813.tif 000008
【図７】
2005025813.tif 000009